(57)【要約】【課題】テキスト内の文や単語の声調を変えて発音させて文や単語の音声を学習することが可能な音声出力装置を提供する。【解決手段】音声出力装置１は、テキストに対応付けて音声データ３０ＡＭが記憶されている音声データ記憶手段８０と、テキストを表示する表示手段１０、２１と、音声データ記憶手段８０に記憶された音声データに基づいて、前記テキスト中の各単語に声調を付して当該声調を表す識別表示を行うように制御する声調識別表示制御手段２０と、声調識別表示手段２０により識別表示されたいずれかの単語の声調をユーザの操作により変更する声調変更手段２０と、声調変更手段２０により変更された単語の声調に従って、テキストの音声データの声調を変更して出力するように制御する声調変更音声出力制御手段２０とを備える。【選択図】図２
2015125203.tif 000002
【特許請求の範囲】
【請求項１】
テキストに対応付けて音声データが記憶されている音声データ記憶手段と、
前記テキストを表示する表示手段と、
前記音声データ記憶手段に記憶された音声データに基づいて、前記テキスト中の各単語に声調を付して当該声調を表す識別表示を行うように制御する声調識別表示制御手段と、
前記声調識別表示手段により識別表示されたいずれかの単語の声調をユーザの操作により変更する声調変更手段と、
前記声調変更手段により変更された前記単語の声調に従って、前記テキストの音声データの声調を変更して出力するように制御する声調変更音声出力制御手段と、
を備えることを特徴とする音声出力装置。
【請求項２】
前記表示手段により表示されたテキストに対応づけてユーザ音声を登録するユーザ音声登録手段と、
前記ユーザ音声登録手段により登録されたユーザ音声に基づいて、前記テキスト中の各単語に声調を付して当該声調を表す識別表示を行うように制御するユーザ声調識別表示制御手段と、
を備えることを特徴とする請求項１に記載の音声出力装置。
【請求項３】
前記ユーザ声調識別表示制御手段は、
前記声調識別表示制御手段による前記テキスト中の各単語の声調を表す識別表示を行う表示と、対応する位置に前記テキスト中の各単語のユーザ音声による声調を表す識別表示を行うことを特徴とする請求項１又は２に記載の音声出力装置。
【請求項４】
前記ユーザ声調識別表示手段により識別表示されたいずれかの単語の声調をユーザの操作により変更するユーザ声調変更手段と、
前記ユーザ声調変更手段により変更された前記単語の声調に従って、前記ユーザ音声登録手段により登録されたユーザ音声の声調を変更して出力するように制御するユーザ声調変更音声出力制御手段と、
を備えることを特徴とする請求項１から請求項３のいずれか一項に記載の音声出力装置。
【請求項５】
模範音声データ、又はテキストと対応する音声データとを取得する音声データ取得手段と、
前記テキストを表示する表示手段と、
前記音声データに基づいて、前記テキスト中の各単語に声調を付して当該声調を表す識別表示を行うように制御する声調識別表示制御手段と、
前記声調識別表示手段により識別表示されたいずれかの単語の声調をユーザの操作により変更する声調変更手段と、
前記声調変更手段により変更された前記単語の声調に従って、前記テキストの音声データの声調を変更して出力するように制御する声調変更音声出力制御手段と、
を備えることを特徴とする音声出力装置。
【請求項６】
前記声調識別表示制御手段は、前記文字列の各単語に、当該単語の声調に応じて色分けしたマーカ表示を行うことにより前記声調を表す識別表示を行い、
前記声調変更手段は、ユーザが前記単語ごとに前記マーカ表示の色を変更する操作に応じて、識別表示された前記単語の声調を変更することを特徴とする請求項１から請求項５のいずれか一項記載の音声出力装置。
【請求項７】
テキストに対応付けて音声データが記憶されている音声データ記憶手段を備えるコンピュータに、
前記テキストを表示する制御を行う表示制御機能と、
前記音声データに基づいて、前記テキスト中の各単語に声調を付して当該声調を表す識別表示を行うように制御を行う声調識別表示制御機能と、
識別表示されたいずれかの単語の声調をユーザの操作により変更する声調変更機能と、
変更された前記単語の声調に従って、前記テキストの模範音声データの声調を変更して出力するように制御を行う声調変更音声出力制御機能と、
を実現させることを特徴とする音声出力プログラム。
【請求項８】
コンピュータに、
音声データ、又はテキストと対応する音声データとを取得する音声データ取得機能と、
前記テキストを表示する制御を行う表示制御手段と、
前記音声データに基づいて、テキスト中に指定された文字列の各単語に声調を付して当該声調を表す識別表示を行うように制御を行う声調識別表示制御機能と、
識別表示されたいずれかの単語の声調をユーザの操作により変更する声調変更機能と、
変更された前記単語の声調に従って、前記テキストの模範音声データの声調を変更して出力するように制御する声調変更音声出力制御機能と、
を実現させることを特徴とする音声出力プログラム。
【発明の詳細な説明】
【技術分野】
【０００１】
本発明は、少なくとも音声の再生が可能な音声出力装置及び音声出力プログラムに関する。
【背景技術】
【０００２】
従来から、電子辞書等の音声出力装置として、例えばユーザが表示されたテキストや単語等の音声の再生を指示すると、指示された範囲のテキストや単語等を、予め録音されたネイティブの音声で出力する装置が知られている。
【０００３】
また、例えば特許文献１に記載された語学学習装置では、ネイティブの発音（標準音声）の波形と、ユーザ（学習者）が発声して録音した波形とを比較して、発音やアクセントの誤りを提示して、ユーザの発声練習を行うことが提案されている。
【先行技術文献】
【特許文献】
【０００４】
【特許文献１】特開２００３−１６２２９１号公報
【発明の概要】
【発明が解決しようとする課題】
【０００５】
ところで、例えばネイティブの日常会話においては、同じ文や単語を発音する場合であっても、会話の内容やその話の流れ等に応じて、文中の特定の部分や単語を強調する等して声調を変えて発声することで、文や単語のニュアンスを変えて発声されることが少なくない。なお、本明細書等において、声調とは、音の強弱や抑揚、イントネーション等の広義のアクセントを含めた発音の仕方をいうものとし、例えば中国語の四声も本明細書等における声調に含まれる。
【０００６】
しかしながら、従来の電子辞書や語学学習装置等の音声出力装置では、録音されて装置に記憶されている、例えばネイティブが発音したテキストの音声データにおける声調を変えることができるようには構成されていない。そのため、上記のように、文や単語のニュアンスを変えるために声調を変えて発声した場合にどのように発音されるかを、ユーザが聞いて確認することができなかった。
【０００７】
本発明は、上記の問題点を鑑みてなされたものであり、テキスト内の文や単語の声調を変えて発音させて文や単語の音声を学習することが可能な音声出力装置及び音声出力プログラムを提供することを目的とする。
【課題を解決するための手段】
【０００８】
以上の課題を解決するため、本発明の音声出力装置は、
テキストに対応付けて音声データが記憶されている音声データ記憶手段と、
前記テキストを表示する表示手段と、
前記音声データ記憶手段に記憶された音声データに基づいて、前記テキスト中の各単語に声調を付して当該声調を表す識別表示を行うように制御する声調識別表示制御手段と、
前記声調識別表示手段により識別表示されたいずれかの単語の声調をユーザの操作により変更する声調変更手段と、
前記声調変更手段により変更された前記単語の声調に従って、前記テキストの音声データの声調を変更して出力するように制御する声調変更音声出力制御手段と、
を備えることを特徴とする。
【０００９】
また、本発明の他の音声出力装置は、
模範音声データ、又はテキストと対応する音声データとを取得する音声データ取得手段と、
前記テキストを表示する表示手段と、
前記音声データに基づいて、前記テキスト中の各単語に声調を付して当該声調を表す識別表示を行うように制御する声調識別表示制御手段と、
前記声調識別表示手段により識別表示されたいずれかの単語の声調をユーザの操作により変更する声調変更手段と、
前記声調変更手段により変更された前記単語の声調に従って、前記テキストの音声データの声調を変更して出力するように制御する声調変更音声出力制御手段と、
を備えることを特徴とする。
【発明の効果】
【００１０】
本発明によれば、テキスト内の文や単語の声調を変えて発音させて文や単語の音声を学習することが可能となる。
【図面の簡単な説明】
【００１１】
【図１】音声出力装置の一例としての電子辞書の概観を示す平面図である。
【図２】電子辞書の内部構成を示すブロック図である。
【図３】電子辞書の基本動作を表すフローチャートである。
【図４】声調識別表示出力処理や声調変更出力処理等の各処理を表すフローチャートである。
【図５】録音処理の各処理を表すフローチャートである。
【図６】メインディスプレイ上の表示内容等を示す図である。
【図７】メインディスプレイ上の表示内容等を示す図である。
【図８】メインディスプレイ上の表示内容等を示す図である。
【図９】外部装置に接続される音声出力装置を示す図である。
【発明を実施するための形態】
【００１２】
以下、図面を参照して、本発明に係る音声出力装置を電子辞書に適用した場合の実施形態について詳細に説明する。
【００１３】
［第１の実施の形態］
［外観構成］
図１は、本発明の第１の実施形態に係る音声出力装置としての電子辞書１の平面図である。図１に示すように、電子辞書１は、メインディスプレイ１０、サブディスプレイ１１、カードスロット１２、スピーカ１３、マイク１４及びキー群２を備えている。
【００１４】
メインディスプレイ１０及びサブディスプレイ１１は、ユーザによるキー群２の操作に応じたテキストや文字、符号等の各種データをカラーで表示する部分であり、ＬＣＤ（Liquid Crystal Display）やＥＬＤ（Electronic Luminescence Display）等によって構成されている。
【００１５】
本実施形態におけるメインディスプレイ１０及びサブディスプレイ１１は、いわゆるタッチパネル１１０（後述する図２参照）と一体的に形成されており、手書き入力等の操作を受け付けることができるようになっている。また、本実施形態では、少なくともメインティスプレイ１０の左側に各種のアイコンＩが表示されるようになっている。なお、本実施形態及び後述する第２の実施形態では、ユーザがメインディスプレイ１０上で操作を行う場合について説明するが、サブディスプレイ１１上、或いは両方のディスプレイを使って操作を行うように構成することも可能である。
【００１６】
カードスロット１２は、種々の情報を記憶した外部情報記憶媒体１２ａ（図２参照）と着脱可能に設けられている。スピーカ１３は、ユーザによるキー群２の操作に応じた音声を出力する部分であり、マイク１４は外部から音声を取り込む部分である。
【００１７】
キー群２は、ユーザから電子辞書１を操作するための操作を受ける各種キーを有している。具体的には、キー群２は、決定キー２ｂと、文字キー２ｃと、カーソルキー２ｅと、音声キー２ｇ等とを有している。
【００１８】
決定キー２ｂは、検索の実行や、見出し語の決定等に使用されるキーである。文字キー２ｃは、ユーザによる文字の入力等に使用されるキーであり、本実施形態においては“Ａ”〜“Ｚ”キーを備えている。カーソルキー２ｅは、画面内の反転表示位置、つまりカーソル位置の移動等に使用されるキーであり、本実施形態においては上下左右の方向を指定可能となっている。音声キー２ｇは、音声を学習するとき等に使用されるキーである。
【００１９】
［内部構成］
続いて、電子辞書１の内部構造について説明する。図２は、電子辞書１の内部構成を示すブロック図である。図２に示すように、電子辞書１は、表示部２１、入力部２２、音声入出力部７０、記録媒体読取部６０、ＣＰＵ（Central Processing Unit）２０、記憶部８０を備え、各部はバスで相互にデータ通信可能に接続されて構成されている。
【００２０】
表示部２１は、上述のメインディスプレイ１０及びサブディスプレイ１１を備えており、ＣＰＵ２０から入力される表示信号に基づいてテキスト等の各種情報をメインディスプレイ１０やサブディスプレイ１１に表示するようになっている。
【００２１】
入力部２２は、上述のキー群２やタッチパネル１１０を備えており、押下されたキーやタッチパネル１１０の位置に対応する信号をＣＰＵ２０に出力するようになっている。
【００２２】
音声入出力部７０は、上述のスピーカ１３及びマイク１４を備えており、ＣＰＵ２０から入力される音声出力信号に基づいてスピーカ１３に音声出力を行わせたり、ＣＰＵ２０から入力される録音信号に基づいてマイク１４にユーザが発声した音声の録音を行わせたりするようになっている。
【００２３】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。ここで、外部情報記憶媒体１２ａには、教材コンテンツ３０や単語音声の模範音声データ４０Ｍ等が格納されるようになっている。
【００２４】
通信部５０は、ネットワーク（通信網）を介して外部装置Ｇと接続されることができるようになっており、外部装置Ｇから辞書データベース３０や単語音声の模範音声データ４０Ｍ等の必要な情報を取得したり、外部装置Ｇに対して情報を送信したりすることができるようになっている。
【００２５】
なお、外部情報記憶媒体１２ａや外部装置Ｇにおける教材コンテンツ３０や単語音声の模範音声データ４０Ｍ等は、電子辞書１の後述する記憶部８０における教材コンテンツ３０や単語音声の模範音声データ４０Ｍ等と同様のデータ構造を有しているため、ここでは説明を省略する。また、通信部５０は、本実施形態のように音声出力装置を電子辞書１に適用する場合には必ずしも必要ではないが、例えば後述する図９に示すように、ネットワーク等を介して音声出力装置１と外部装置Ｇとを有線や無線で接続して、外部装置Ｇから英会話コンテンツ３０Ａや模範音声データ３０ＡＭ等の必要な情報を取得するように構成する場合には必要になる。
【００２６】
記憶部８０は、電子辞書１の各種機能を実現するためのプログラムやデータを記憶するとともに、ＣＰＵ２０の作業領域として機能するメモリである。本実施形態においては、記憶部８０は、音声録音再生プログラム８１の記憶領域と、辞書データベース群３の記憶領域と、教材コンテンツ群３の記憶領域と、単語音声データ群４の記憶領域と、強弱色設定データ５等の記憶領域とを備えている。
【００２７】
音声録音再生プログラム８１は、本発明に係る音声出力プログラムであり、後述する声調識別表示出力処理や声調変更出力処理等（図３〜図５参照）をＣＰＵ２０に実行させるためのプログラムである。
【００２８】
教材コンテンツ群３は、複数の教材コンテンツ３０を有しており、本実施形態では、少なくとも英会話の教材コンテンツ３０Ａを有している。そして、英会話の教材コンテンツ３０Ａは、英会話に関する項目ごとに、学習対象の複数の英文を含むテキストデータ３０ＡＴと、文ごとの模範音声データ３０ＡＭとを有している。すなわち、本実施形態では、記憶部８０が、本発明に係る、テキストに対応付けて音声データである模範音声データ３０ＡＭが記憶されている音声データ記憶手段に相当する。
【００２９】
単語音声データ群４は、各辞書データベース３０における見出し語の各単語の模範音声データ４０Ｍを有している。なお、この単語音声データ群４は、同一の単語について複数の模範音声データ４０Ｍを有していても良い。
【００３０】
強弱色設定データ５は、後述するように、メインディスプレイ１０上に表示されたテキスト中の指定された範囲内の各単語をその強弱の順に色分けして識別表示したり、ユーザの操作により各単語の識別表示の色を変更することで各単語の強弱を変更する際に、各単語を色分けして識別表示するために用いられるデータである。なお、この強弱色設定データ５については後で説明する。
【００３１】
なお、本実施形態では、このように、前述した単語の声調として単語の強弱のみに着目し、強弱色設定データ５を用いて声調としての音の強弱を変更する場合について説明するが、この他にも、単語の声調として、前述したように抑揚やイントネーション等の広義のアクセント等を変更するように構成することも可能であり、本発明は、以下で説明する声調が音の強弱である場合に限定されない。具体的には、単語の抑揚すなわち音の昇降を変更するために、上記の強弱色設定データ５の代わりに、例えば抑揚設定データとして、抑揚のない平坦な声調を表す矢印や線（すなわち→や−）や、図示を省略するが、音が上昇することを表す右肩上がりの矢印や線、音が下降することを表す右肩下がりの矢印や線等を、声調設定データとして有するように構成することも可能である。
【００３２】
また、記憶部８０には、この他に、ユーザが発声した音声（ユーザ音声）を録音して録音データ６として記憶する記憶領域等が設けられている。すなわち、本実施形態では、記憶部８０は、本発明に係る、ユーザ音声を録音データ６として登録するユーザ音声登録手段としても機能するようになっている。なお、この点については、後述する第２の実施形態で説明する。
【００３３】
また、ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部２２から入力される操作信号等に応じて記憶部８０に格納された各種プログラムを読み出し、当該プログラムに従って処理を実行する。そして、ＣＰＵ２０は、処理結果を記憶部８０に保存するとともに、当該処理結果を音声入出力部７０や表示部２１に適宜出力させるようになっている。また、本実施形態では、ＣＰＵ２０は、本発明に係る声調識別表示制御手段や声調変更手段、声調変更音声出力制御手段等として機能するようになっているが、この点については、下記の電子辞書１の動作の説明の中で説明する。
【００３４】
［動作］
次に、本実施形態に係る音声出力装置である電子辞書１における動作について、図３、図４に示すフローチャートに基づいて他の図面を参照しつつ説明する。なお、以下で説明する音声出力装置（電子辞書１）の動作は、図２に示した音声録音再生プログラム８１に従って行われるため、以下の説明は、本実施形態に係る音声出力プログラムである音声録音再生プログラム８１についての説明にもなっている。
【００３５】
［基本動作］
まず、本実施形態に係る電子辞書１のＣＰＵ２０における基本動作について説明する。なお、以下で説明する各処理とは関係のない操作（例えば以下で説明する各処理の最中にユーザにより歴史大辞典等の別のコンテンツのボタンが押下される等の操作）が行われた場合には、ＣＰＵ２０は、以下の各処理を中止して、指定された処理を行うようになっている。
【００３６】
ＣＰＵ２０は、ユーザによりキー群２が操作されて英会話コンテンツ３０Ａが指定されると（図３のステップＳ１）、記憶部８０の当該英会話コンテンツ３０Ａの記憶領域からテキストデータ３０ＡＴを読み出して、例えば図１に示したようにメインディスプレイ１０上に当該英会話コンテンツ３０Ａのテキストを表示する（ステップＳ２）。また、それと同時に、図１に示したように、メインティスプレイ１０の左側に、各種の処理内容を表すアイコンＩを表示する。
【００３７】
そして、ＣＰＵ２０は、ユーザによりタッチペンや指でタッチされる等して「音声学習」以外のアイコンＩが選択された場合には（ステップＳ３；ＮＯ）、処理を終了し、選択されたアイコンＩに対応する他の処理を行う。また、ユーザは、「音声学習」アイコンＩａを選択すると（ステップＳ３；ＹＥＳ）、続いて、聞きたい或いは学習したいと思うテキスト中の文字列の範囲をタッチペンでなぞる等して指定する（ステップＳ４。図１参照）。なお左側のアイコンエリアには、「ノート」、「さらに検索」、「マーカ」、「付箋」、「単語帳」、「音声学習」一般の学習機能の各アイコンが上から順に並べて表示される。
【００３８】
ＣＰＵ２０は、ユーザにより左側のアイコンエリア中の「音声学習」アイコンＩａ（図１参照）が選択されると（ステップＳ３；ＹＥＳ）、メインティスプレイ１０の左側のアイコンＩの表示を図６（Ａ）に示すように、上から順に「音声切替」Ｉ１、「音声比較」Ｉ２、「強弱表示ＯＦＦ」Ｉ３、「強弱反映ＯＦＦ」Ｉ４、「強弱変更」Ｉ５、「強弱取消」Ｉ６の音声機能の表示に切り替える。また、テキストの左上部分に「会話音声」アイコンＩｋが表示される。ここで「会話音声」アイコンＩｋ以外のアイコンＩがユーザによりタッチペンでタッチされる等して選択されると（ステップＳ５；ＮＯ）、処理を終了し、選択されたアイコンＩに対応する他の処理を行う。
【００３９】
また、ＣＰＵ２０は、図６（Ａ）に示すように「会話音声」アイコンＩｋがユーザによりタッチペンＰＩでタッチされる等して選択されると（ステップＳ５；ＹＥＳ）、例えば図６（Ａ）に示すように、メインティスプレイ１０の左側のアイコンＩの表示を切り替える。なお、図６（Ａ）では、上記のステップＳ４で、ユーザにより「How do you do?」というテキストの文字列のうち「do you do」の範囲が指定された場合が示されている。
【００４０】
なお、図６（Ａ）以下の各図において、図中に網掛けされている部分がある場合、当該網掛けの部分の文字列（この場合は「do you do」）や単語等が、上記のように指定されたり、後述するように識別表示される等して、特定の色（図６（Ａ）の場合は例えば緑）でマーカ表示（緑；Ｍg）されていることを表している。
【００４１】
続いて、ＣＰＵ２０は、メインティスプレイ１０の左側の各アイコンＩのうち、ユーザにより「音声切替」アイコンＩ１が選択されたか否かを判断し（ステップＳ６）、「音声切替」アイコンＩ１が選択された場合には（ステップＳ６；ＹＥＳ）、「音声」アイコンＩ２の枠内の表示を「比較」から「録音」に切り替える（ステップＳ７。後述する図７（Ｃ）参照）。また、「音声」アイコンＩ２の枠内の表示が「録音」である場合に、「音声切替」アイコンＩ１が選択された場合には（ステップＳ６；ＹＥＳ）、「音声」アイコンＩ２の枠内の表示を「録音」から「比較」に切り替える（ステップＳ７）。
【００４２】
すなわち、ＣＰＵ２０は、ユーザにより「音声切替」アイコンＩ１が選択されるごとに、「音声」アイコンＩ２の枠内の表示を「比較」と「録音」との間で切り替えるようになっている。なお、この基本動作では、「音声」アイコンＩ２の枠内の表示が「比較」である場合の各処理を説明する。「音声」アイコンＩ２の枠内の表示が「録音」である場合の各処理については、後述する第２の実施形態で説明する。
【００４３】
ユーザにより「音声切替」アイコンＩ１が選択されておらず（ステップＳ６；ＮＯ）、「音声」アイコンＩ２が選択された場合（ステップＳ８；ＹＥＳ）、ＣＰＵ２０は、「音声」アイコンＩ２の枠内の表示が「比較」であるか否かを判断する（ステップＳ９）。上記のように、この基本動作の場合、「音声」アイコンＩ２の枠内の表示は「比較」であるから（ステップＳ９；ＹＥＳ）、ＣＰＵ２０は、ステップＳ１０の処理に進む。
【００４４】
そして、ＣＰＵ２０は、ユーザにより選択された英会話コンテンツの指定された文字列（単語を含む。以下同じ。）を含むテキストデータ３０ＡＴ（図２参照）に対応する模範音声データ３０ＡＭを、記憶部８０の英会話コンテンツ３０Ａから読み出し、指定された文字列（すなわち図６（Ａ）のマーカ表示（緑；Ｍg）部分）に対応する部分を音声出力する（ステップＳ１０）。この場合、模範音声データ３０ＡＭとして記憶されている強弱（すなわち声調）のまま音声出力する。
【００４５】
また、本実施形態では、ＣＰＵ２０は、このようにして指定された文字列に対応する部分の模範音声データ３０ＡＭを音声出力した後、続いて、指定された文字列の各単語について、記憶部８０の単語音声データ群４の中から模範音声データ４０Ｍを順に読み出して、それぞれ音声出力するようになっている（ステップＳ１１）。
【００４６】
すなわち、本実施形態では、ＣＰＵ２０は、ユーザにより指定された文字列「do you do」について、リエゾン等を含みネイティブが会話する状態の模範音声データ３０ＡＭを音声出力して「do you do」と音声出力した後（ステップＳ１０）、続いて、指定された文字列の各単語を、リエゾン等を含まず、各単語に分けた状態の模範音声データ４０Ｍを音声中で、連続して「do」、「you」、「do」と音声出力するようになっている。
【００４７】
このように構成することで、ユーザは、指定した文字列について、リエゾン等を含む会話の発音と単語ごとの発音とをそれぞれ聞き比べて学習することが可能となる。なお、上記の「比較」は、この聞き比べのことを意味するものである。
【００４８】
［声調識別表示出力処理］
次に、電子辞書１のＣＰＵ２０で行われる声調識別表示出力処理について説明する。声調識別表示出力処理では、ＣＰＵ２０は、上記のように記憶部８０（音声データ記憶手段）に記憶されている模範音声データに基づいて、テキスト中に指定された文字列の各単語に強弱（すなわち声調。以下同じ。）を表す識別表示を行ったり、各単語の強弱に従って、模範音声データ３０ＡＭを音声出力するように制御する。すなわち、ＣＰＵ２０は、本発明に係る声調識別表示制御手段として機能するようになっている。以下、具体的に説明する。
【００４９】
ＣＰＵ２０は、ユーザにより「音声切替」アイコンＩ１が選択されておらず（ステップＳ６；ＮＯ）すなわち今の状態では「音声」アイコンＩ２の枠内の表示が「比較」のままで、「音声」アイコンＩ２が選択されずに（ステップＳ８；ＮＯ）、「強弱表示」アイコンＩ３（図６（Ｂ）参照）が選択されると、指定されている文字列の模範音声データ３０ＡＭに基づいて当該文字列の各単語に強弱を表す識別表示（すなわち声調を表す識別表示。以下同じ。）を行ったり識別表示を解除したりするように制御する。
【００５０】
すなわち、ＣＰＵ２０は、「強弱表示」アイコンＩ３が選択されると（図４のステップＳ１４；ＹＥＳ）、「強弱表示」アイコンＩ３中の表示が「ＯＮ」であれば、指定されている文字列の各単語の強弱を表す識別表示を行い、「強弱表示」アイコンＩ３中の表示が「ＯＦＦ」であれば、その識別表示を解除する（ステップＳ１５）。具体的には、テキスト中の各単語に対応づけて記憶されている音声データの各単語部分の強弱（又は声調）を検知して、各単語に強弱（声調）の情報を付して、その強弱（声調）を示すマーカ（ここでは、弱；黄色マーカＭy、中；青色マーカＭb、強；赤色マーカＭr）を付けて識別表示する。
【００５１】
また、ＣＰＵ２０は、「強弱表示」アイコンＩ３が連続して選択されると、すなわち他のアイコンＩが選択される等せずに「強弱表示」アイコンＩ３が続けて選択されると（ステップＳ１２；ＹＥＳ）、「強弱表示」アイコンＩ３中の「ＯＮ」と「ＯＦＦ」の表示を切り替えて表示する。すなわち、「強弱表示」アイコンＩ３中の表示が「ＯＦＦ」であれば「ＯＮ」に切り替え、表示が「ＯＦＦ」であれば「ＯＮ」に切り替えて表示する。そして、それと同時に、ステップＳ１５の処理を行う。
【００５２】
具体的には、例えば、メインディスプレイ１０の表示が図６（Ａ）の状態であった場合に、「強弱表示」アイコンＩ３をタッチペンや指等でタッチして選択すると、この場合は「強弱表示」アイコンＩ３が初めて選択されたため、ＣＰＵ２０は、ステップＳ１２の判定処理でＮＯ判定を行い、ステップＳ１４の判定処理に移行する。そして、「強弱表示」アイコンＩ３は選択され（ステップＳ１４；ＹＥＳ）、この場合、「強弱表示」アイコンＩ３中の表示は「ＯＦＦ」であるから、指定されている文字列の各単語の強弱を表す識別表示（すなわちこの場合は強弱を表す識別表示）を解除する（ステップＳ１５）。すなわち、この場合は、それまで文字列の識別表示が行われていないため、識別表示を解除するということは、元の図６（Ａ）の状態のまま表示を変えないということになる。
【００５３】
そして、ユーザが他のアイコンを選択する等せずに「強弱表示」アイコンＩ３に対して２回目のタッチを行って連続して選択すると（ステップＳ１２；ＹＥＳ）、図６（Ａ）に示した「強弱表示」アイコンＩ３中の「ＯＦＦ」の表示が、図６（Ｂ）に示すように「ＯＮ」の表示に切り替わる（ステップＳ１３）。そして、それと同時に、ＣＰＵ２０によりディスプレイ１０上で指定されている文字列の各単語の強弱を表す識別表示が行われる（ステップＳ１５）。
【００５４】
すなわち、本実施形態では、ユーザは、「強弱表示」アイコンＩ３中の表示が「ＯＦＦ」である状態で、ディスプレイ１０上で指定した文字列の各単語の強弱を表す識別表示を行わせたい場合には、「強弱表示」アイコンＩ３をタッチペンや指等で連続してタッチすればよいことになる。このように「強弱表示」アイコンＩ３を連続して選択すれば、上記のように、「強弱表示」アイコンＩ３中の表示を「ＯＮ」に切り替えて、ディスプレイ１０上で指定した文字列の各単語の強弱を表す識別表示を行わせることができる。
【００５５】
本実施形態では、具体的には、テキスト中の各単語に対応づけて記憶されている音声データの各単語部分の強弱（又は声調）を検知して、各単語に強弱（声調）の情報を付して、その強弱（声調）を示すマーカ（ここでは、弱；黄色マーカＭy、中；青色マーカＭb、強；赤色マーカＭr）を付けて識別表示する。
【００５６】
そして、ＣＰＵ２０は、指定されている文字列の各単語の強弱を表す識別表示を行う場合には、指定されている文字列を含むテキストデータ３０ＡＴ（図２参照）に対応する模範音声データ３０ＡＭを、記憶部８０の英会話コンテンツ３０Ａから読み出し、指定された文字列の各単語の強弱を判定する。そして、上記の強弱色設定データ６に基づいて、図６（Ｂ）に示すように、メインディスプレイ１０上に表示したテキスト中の指定された範囲内の文字列の各単語を、その強弱（声調）の順に、例えば上記の赤、青、黄等で色分けしマーカ表示して識別表示する制御を行うようになっている。
【００５７】
なお、図面上では色で表現することができないため、発音される単語の強さが強くなるほど網掛けをより細かくしていくように表現することとする。すなわち、図６（Ｂ）の場合には、最後の「do」が最も強く、最初の「do」が中程度の強さであり、「you」が最も弱く発音されることを表している。
【００５８】
また、模範音声データ３０ＡＭについては、上記のように、ＣＰＵ２０が、読み出した模範音声データ３０ＡＭの各単語の強弱を判定する代わりに、予め模範音声データ３０ＡＭの各単語に強弱のレベル（すなわちこの場合は強い、中程度、弱い）を対応付けておき、ＣＰＵ２０は、各単語に対応付けられた強弱のレベルに応じて各単語を識別表示するように構成することも可能である。
【００５９】
さらに、図６（Ｂ）の状態でユーザが他のアイコンを選択する等せずに再度「強弱表示」アイコンＩ３を選択すると、ステップＳ１２の判定処理でＹＥＳ判定が行われるため、「強弱表示」アイコンＩ３中の「ＯＮ」の表示が「ＯＦＦ」の表示に切り替わると同時に、ディスプレイ１０上での識別表示が解除される。このように、「強弱表示」アイコンＩ３が連続して選択されるたびに、「強弱表示」アイコンＩ３中の「ＯＮ」と「ＯＦＦ」の表示が切り替わると同時に、ディスプレイ１０上で識別表示が行われたり解除されたりする動作が繰り返されることになる。
【００６０】
本実施形態では、前述した声調識別表示制御手段としてのＣＰＵ２０は、このように、メインディスプレイ１０上で指定された文字列に対応する模範音声データ３０ＡＭに基づいて、文字列（すなわちテキスト）の各単語の強弱を判定し、各単語に強弱を表す（例えば色分けされた）識別表示を行うように表示部２１等の各機能部を制御するようになっている。
【００６１】
一方、ＣＰＵ２０は、ユーザにより「強弱反映」アイコンＩ４（図６（Ａ）や図６（Ｂ）参照）が選択された場合には（ステップＳ１８；ＹＥＳ）、「強弱反映」アイコンＩ４中の表示が「ＯＮ」であれば、上記のようにして各単語の強弱を色分けして識別表示した指定された文字列（テキスト）の部分について、単語の強弱に従って模範音声データ３０ＡＭを音声出力するように音声入出力部７０等を制御する。また、「強弱反映」アイコンＩ４中の表示が「ＯＦＦ」であれば、指定された文字列の部分の模範音声データ３０ＡＭをそのまま音声出力する（ステップＳ１９）。
【００６２】
また、ＣＰＵ２０は、上記と同様に、「強弱反映」アイコンＩ４が連続して選択された場合には（ステップＳ１６；ＹＥＳ）、「強弱反映」アイコンＩ４中の「ＯＮ」と「ＯＦＦ」の表示を切り替えて表示し、それと同時に、ステップＳ１８の処理を行う。
【００６３】
すなわち、ユーザが、「強弱反映」アイコンＩ４中の表示が「ＯＮ」の状態で音声出力させると、メインディスプレイ１０上で指定した文字列が、色分けして識別表示された各単語の強弱に従って音声出力される。また、「強弱反映」アイコンＩ４中の表示が「ＯＦＦ」の状態で音声出力させると、指定した文字列に対応する部分の模範音声データ３０ＡＭがそのまま音声出力される。
【００６４】
なお、例えば図６（Ｂ）に示したように色分けして識別表示された各単語の強弱は、そもそも模範音声データ３０ＡＭにおける各単語の強弱をそのまま反映したものであるため、「強弱反映」アイコンＩ４中の表示が「ＯＮ」の状態で音声出力させても、「ＯＦＦ」の状態で音声出力させても、結局、模範音声データ３０ＡＭがそのまま音声出力される状態になる。この「強弱反映」アイコンＩ４が選択された場合の処理は、主に、下記のように文字列の各単語の強弱が変更された後（すなわち下記の声調変更出力処理が行われた後）で音声出力させる場合に、各単語の強弱が変更された後の音声出力と変更される前の模範音声データ３０ＡＭの音声出力とを聞き比べる際に有益な効果が発揮される。
【００６５】
［声調変更出力処理］
次に、電子辞書１のＣＰＵ２０で行われる声調変更出力処理について説明する。声調変更出力処理では、ＣＰＵ２０は、上記のように識別表示したいずれかの単語の声調（この場合は強弱）をユーザの操作により変更したり（声調変更手段としての機能）、変更した単語の声調に従って、指定された文字列（テキスト）の模範音声データ３０ＡＭを出力するように制御するようになっている（声調変更音声出力制御手段としての機能）。以下、具体的に説明する。
【００６６】
すなわち、ＣＰＵ２０は、「強弱変更」アイコンＩ５（図６（Ｂ）参照）が選択されると（ステップＳ２０；ＹＥＳ）、例えば図６（Ｃ）に示すように、この場合は単語の強弱を変更するための声調変更用のペンアイコンＰＩを、例えば指定され各単語が識別表示された文字列のうち先頭の単語「do」を指すようにメインディスプレイ１０上に表示する（ステップＳ２１）。また、それと同時に、メインディスプレイ１０の左側に表示する各アイコンＩを、例えば図６（Ｃ）に示すようなアイコンＩ７〜Ｉ１０に切り替える。
【００６７】
そして、ＣＰＵ２０は、例えば図６（Ｃ）に示した状態でユーザが「カラー」アイコンＩ９をタッチして選択するごとに、声調を表す識別表示、すなわちこの場合は強弱を表す色を変更する（ステップＳ２２）。すなわち、例えば、上記のように単語が強く発音される順に赤、青、黄でそれぞれ識別表示される場合、ユーザが「カラー」アイコンＩ９をタッチするごとに、ＣＰＵ２０は、指定された文字列の最初の「do」を識別表示する色を、赤、青、黄の順に変更する。図６（Ｃ）に示した状態では、最初の「do」は青（中程度の強さであることを表す色）で識別表示されているため、ユーザが「カラー」アイコンＩ９をタッチするごとに、最初の「do」の識別表示の色が青から黄、赤、青、…と変更される。
【００６８】
そして、ユーザにより「ペン」アイコンＩ８がタッチされて選択されると、図示を省略するが、ＣＰＵ２０は、例えばペンアイコンＰＩの表示位置を右の単語「you」を指す位置に移動させる。そして、上記と同様にユーザが「カラー」アイコンＩ９をタッチするごとに単語「you」を識別表示する色を順に変更する。指定された文字列の最後の「do」に対しても同様の操作を行うことで識別表示の色を変更することができる。なお、ユーザは指定した文字列の全ての単語の強弱を変更する必要はなく、文字列のうちのいずれかの単語の強弱のみを変更することも可能である。なお、ユーザにより「消しゴム」アイコンＩ１０がタッチされて選択されると、ＣＰＵ２０は、ペンアイコンＰＩで指し示されている単語の識別表示を消す。
【００６９】
本実施形態では、声調変更手段としての電子辞書１のＣＰＵ２０は、以上のようにして、ユーザにより指定された文字列のいずれかの単語（全ての単語の場合を含む。）の強弱（声調）をユーザの操作により変更するとともに、その単語に付された強弱データ（声調データ）も変更後の色の強弱データに変更されるようになっている。また、ユーザにより「決定」アイコンＩ７がタッチされて選択されると、ＣＰＵ２０は、変更された単語の強弱の情報等を記憶部８０に記憶する。また、それとともに、例えば図６（Ｄ）に示すように、変更された識別表示を維持した状態で、ペンアイコンＰＩの表示を消すとともに、メインディスプレイ１０の左側に表示する各アイコンＩを、元のアイコンＩ１〜Ｉ６に戻すようになっている。
【００７０】
そして、この状態で（図６（Ｄ）参照）、前述したように、ユーザにより「強弱反映」アイコンＩ４が選択されると（ステップＳ１８；ＹＥＳ）、声調変更音声出力制御手段としてのＣＰＵ２０は、「強弱反映」アイコンＩ４中の表示が「ＯＮ」であれば、上記のようにして各単語の強弱の色分けを変更して識別表示した文字列（テキスト）の部分について、変更した単語の強弱に従って模範音声データ３０ＡＭを音声出力するように音声入出力部７０等を制御する。なお、「強弱反映」アイコンＩ４中の表示が「ＯＦＦ」である場合には２回連続して「強弱反映」アイコンＩ４にタッチすれば（ステップＳ１６；ＹＥＳ）、「ＯＦＦ」の表示を「ＯＮ」の表示に切り替えることができるため（ステップＳ１７）、ユーザは、このように操作して、変更した単語の強弱に従った模範音声データ３０ＡＭの音声出力を聞くことができる。
【００７１】
また、ユーザは、「強弱反映」アイコンＩ４中の表示を「ＯＮ」から「ＯＦＦ」に切り替えれば、強弱が変更される前の元の模範音声データ３０ＡＭの音声出力を聞くことができる。本実施形態に係る電子辞書１（音声出力装置）を用いれば、このようにして、ユーザは、単語の強弱を変更する前と変更した後の音声出力を聞き比べることが可能となる。
【００７２】
そして、単語の強弱を変更する前と変更した後の音声出力を聞き比べることで、テキスト内の文字列、すなわち文や単語の声調を変えて発音させた状態の文や単語の音声を学習することが可能となる。そのため、文や単語のニュアンス等を変えるために、文中の特定の部分や単語の声調を変えて発声する場合にどのように発音したり発声すればよいかを、ネイティブの発音（すなわち模範音声データ３０ＡＭ）に基づいて学習することが可能となる。
【００７３】
なお、「強弱変更」アイコンＩ５（図６（Ｂ）参照）が選択されて、上記のようにして、ユーザにより文字列の各単語の強弱が変更された後、例えば、図６（Ｄ）の状態でユーザにより「音声（比較）」アイコンＩ２がタッチされて選択された場合には、上記の［基本動作］で説明したように、ＣＰＵ２０は、指定された文字列に対応する部分の模範音声データ３０ＡＭを変更された後の声調（強弱）に従って音声出力させた後（図３のステップＳ１０）、続いて、指定された文字列の各単語を、変更された後の声調（強弱）に従ってそれぞれ音声出力させることになる（ステップＳ１１）。
【００７４】
一方、例えば図６（Ｄ）の状態で、ユーザは「強弱取消」アイコンＩ６をタッチして選択すれば、上記のようにして行った文字列の各単語の強弱の変更設定を取り消すことができる。すなわち、ＣＰＵ２０は、「強弱取消」アイコンＩ６がタッチされて選択されると（図４のステップＳ２３；ＹＥＳ）、上記のようにして行われた識別表示の変更を解除して（ステップＳ２４）、メインティスプレイ１０上の表示を、図６（Ａ）に示したように、例えば「do you do」の範囲が指定された状態（すなわちその範囲が緑でマーカ表示された状態）に戻す。また、それとともに、記憶部８０に記憶された、変更された単語の強弱の情報等を、記憶部８０から削除する等の処理を行うようになっている。
【００７５】
［効果］
以上のように、本実施形態に係る電子辞書１（音声出力装置）や音声出力プログラムによれば、ＣＰＵ２０を、記憶部８０（音声データ記憶手段）に記憶されているテキストデータ３０ＡＴに対応付けられたテキストの模範音声データ３０ＡＭに基づいて、ユーザにより指定された文字列（テキスト）の各単語に声調を表す識別表示を行うとともに（声調識別表示制御手段としての機能）、識別表示したいずれかの単語の声調をユーザの操作により変更し（声調変更手段としての機能）、変更した単語の声調に従って、文字列の模範音声データ３０ＡＭを出力するように音声入出力部７０等を制御する（声調変更音声出力制御手段としての機能）ように構成した。
【００７６】
そのため、ユーザは、メインディスプレイ１０等に表示させたテキスト中の文字列を指定し、その文字列中の各単語の強弱等の声調を変更し、声調を変更した後の模範音声データ３０ＡＭの音声出力と、声調を変更する前の元の模範音声データ３０ＡＭの音声出力とを聞き比べることが可能となる。
【００７７】
そして、単語の強弱を変更する前と変更した後の音声出力を聞き比べることで、テキスト内の文字列（すなわち文や単語）の声調を変えて発音させた状態の文や単語の音声を学習することが可能となる。そのため、文や単語のニュアンス等を変えるために、文中の特定の部分や単語の声調を変えて発声する場合にどのように発音したり発声すればよいか等を、ネイティブの発音（すなわち模範音声データ３０ＡＭ）に基づいて効果的に学習することが可能となる。
【００７８】
なお、前述したように、本実施形態では、声調識別表示制御手段としてのＣＰＵ２０は、例えば図６（Ｂ）に示したように、メインディスプレイ１０上で、テキスト中に指定された文字列の各単語に対して、当該単語の声調に応じて色分けしたマーカ表示（すなわち前述した例えば強弱に応じた赤、青、黄等のマーカ表示）を行うことにより、声調を表す識別表示を行う。また、声調変更手段としてのＣＰＵ２０は、例えば図６（Ｃ）や図６（Ｄ）に示したように、ユーザが単語ごとにマーカ表示の色を変更する操作を行うと、それに応じて、識別表示された単語の声調（例えば強弱）を変更するように構成されている。
【００７９】
そのため、前述した特許文献１に記載された語学学習装置のように、ネイティブやユーザの発音を波形で表す場合に比べて、本実施形態では、単語の強弱等の声調が色分けしたマーカ表示により表示されるため、ユーザが単語の声調を的確に認識して発音等を学習することが可能となるといった効果がある。
【００８０】
［第２の実施の形態］
次に、本発明の第２の実施形態に係る電子辞書１（音声出力装置）について説明する。上記の第１の実施形態では、ユーザが、電子辞書１の記憶部８０に記憶されている、ネイティブの発音に係る模範音声データ３０ＡＭを用い、テキスト中に指定した文字列の各単語の強弱（すなわち声調）を変更して音声出力させる場合について説明した。すなわち、模範音声データ３０ＡＭの声調を変更する場合について説明した。
【００８１】
第２の実施形態では、ユーザが発声した音声を録音した録音データ６（図２参照）について、文字列の各単語に声調を表す識別表示を行ったり、各単語の声調を変更するように構成することについて説明する。すなわち、ユーザが発声した自分の音声の声調を変更する場合について説明する。
【００８２】
そして、この場合、ユーザは、例えば「How do you do?」と発声する際の声調を模範音声データ３０ＡＭすなわちネイティブの声調と比較してチェックしたり、或いは、どの単語の声調をどのように変更すればネイティブの声調に近づけることができるか等を学習することが可能となる。なお、以下の第２の実施形態において、上記の第１の実施形態と同じように機能したり同じ処理を行う場合には、第１の実施形態で用いたものと同じ符号や処理のステップ番号等を付して説明する。
【００８３】
本実施形態では、ユーザは、第１の実施形態と同様に、図１に示したように英会話コンテンツの例えば「How do you do?」を開いた状態で「音声学習」アイコンＩａをタッチペンや指等でタッチして選択する。そして、メインディスプレイ１０上に表示されたテキストのうち、自分の発音をチェックしたり学習したりする範囲として、例えば図７（Ａ）に示すように「How do you do?」の文字列を指定する（ステップＳ４）。電子辞書１のＣＰＵ２０は、指定された文字列（この場合は「How do you do?」）を例えば緑の色でマーカ表示Ｍgして識別表示する。
【００８４】
そして、この状態で、ユーザが電子辞書１に例えば第１の実施形態で説明した［声調識別表示出力処理］を実行させるために、「強弱表示」アイコンＩ３を２回連続してタッチして選択すると（ステップＳ１２；ＹＥＳ）、ＣＰＵ２０は、「強弱表示」アイコンＩ３中の表示を「ＯＦＦ」から「ＯＮ」に切り替えて（ステップＳ１３）、図７（Ｂ）に示すように、指定されている文字列（この場合は「How do you do?」）の各単語の強弱を表す識別表示を行う（ステップＳ１５）。
【００８５】
なお、第１の実施形態や本実施形態では、前述したように、強弱色設定データ６（図２参照）として、最も強く発音される単語を赤、中程度の強さで発音される単語を青、最も弱く発音される単語を黄で識別表示するためのデータが備えられているため、図７（Ｂ）に示すように、「How do you do?」の文字列のうち、「How」と最初の「do」が中程度の青Ｍb、「you」が最も弱い黄Ｍy、最後の「do」が最も強い赤Ｍrでマーカ表示される。しかし、第１の実施形態においても同様であるが、音の強弱をさらに細かく分類して識別表示するように構成することも可能である。
【００８６】
［録音処理］
一方、例えば図７（Ｂ）の状態で、本実施形態に係る録音学習を実行する場合、ユーザが自分が発声した音声を録音させるために「音声切替」アイコンＩ１をタッチして選択すると（ステップＳ６；ＹＥＳ）、前述したように、ＣＰＵ２０は、「音声」アイコンＩ２の枠内の表示を「比較」から「録音」に切り替える（図３のステップＳ７）。
【００８７】
そして、この状態で、ユーザが「音声」アイコンＩ２をタッチして選択すると（ステップＳ８；ＹＥＳ）、ＣＰＵ２０は、上記のように「音声」アイコンＩ２の枠内の表示が「比較」ではなく（ステップＳ９：ＮＯ）、「録音」であるから、図５のステップＳ２５以下の録音処理に進む。
【００８８】
録音処理では、ＣＰＵ２０は、例えば図７（Ａ）や図７（Ｂ）に示したように、ユーザにより「How do you do?」の文字列が指定されている場合には、図７（Ｃ）に示すように、この指定された文字列「How do you do?」をメインディスプレイ１０上に２段表示する（ステップＳ２５）。
【００８９】
そして、ＣＰＵ２０は、図７（Ｃ）に示すように、２段表示した文字列のうち、上側の文字列の横に「模範音声」と表示し、下側の文字列の横に「録音音声」と表示する（ステップＳ２６）。
【００９０】
そして、ＣＰＵ２０は、音声入出力部７０（図２参照）を制御してマイク１３を起動させるとともに、例えばメインディスプレイ１０上に「録音できます」等の表示を行ったり「録音音声」の表示を点滅させる等して、ユーザに指定した文字列を発声させるように促す。そして、ユーザが発声した音声を録音し（ステップＳ２７）、録音したユーザ音声を録音データ６として記憶部８０に記憶して登録する。すなわち、ＣＰＵ２０は、本発明に係るユーザ音声登録手段として機能するようになっている。
【００９１】
その際、例えば、２段表示した下側の文字列の横に表示する「模範音声」の表示を、録音前は白地に所定の色で表示し、録音後は所定の色の地に白抜きで表示するように切り替える等することで、ユーザに録音が完了したことを知らせるように構成することも可能である。
【００９２】
また、本実施形態では、ＣＰＵ２０は、このようにしてユーザの音声の録音が完了すると、指定された文字列の模範音声データ３０ＡＭを読み出して音声出力する（ステップＳ２８）。そして、それに続けて、録音した録音データ６を再生して、録音したユーザの音声を音声出力するようになっている（ステップＳ２９）。
【００９３】
［強弱表示や強弱変更等について］
そして、前述した声調識別表示制御手段や声調変更手段、声調変更音声出力制御手段としてのＣＰＵ２０は、第１の実施形態で説明した、文字列（テキスト）に対するユーザの操作に応じて、模範音声データ３０ＡＭに対して行うことができる処理と同様の処理を、ユーザの音声の録音データ６に対しても行うことができるようになっている。
【００９４】
具体的には、すなわち、例えば図７（Ｃ）に示した状態で、ユーザが２段表示の下側の「録音音声」の方の文字列「How do you do?」をタッチペンでなぞる等して指定すると、電子辞書１のＣＰＵ２０は、図示を省略するが、例えばその範囲を緑等の特定の色でマーカ表示する。そして、その状態でユーザにより「強弱表示」アイコンＩ３が選択されると（ステップＳ１４；ＹＥＳ）、ＣＰＵ２０は、指定されている文字列「How do you do?」を各単語に分け、各単語の強弱を分析して、例えば図７（Ｄ）に示すように、指定されている文字列の各単語の強弱を例えば赤、青、黄等でマーカ表示する等して識別表示を行う（ステップＳ１５）。すなわち、ＣＰＵ２０は、本発明に係る、登録されたユーザ音声に基づいてテキスト中の各単語に声調を付して当該声調を表す識別表示を行うように制御するユーザ声調識別表示制御手段として機能するようになっている。
【００９５】
なお、「強弱表示」アイコンＩ３中の表示が「ＯＦＦ」になっている場合は、ユーザは「強弱表示」アイコンＩ３を連続して選択すれば（ステップＳ１２；ＹＥＳ）、「強弱表示」アイコンＩ３中の表示を「ＯＮ」に切り替えることができる（ステップＳ１３）ことは、第１の実施形態で説明した通りである。また、図７（Ｃ）に示したように、２段表示の上側の「模範音声」の方で既に文字列の範囲が「How do you do?」に指定されている場合には、２段表示の下側の「録音音声」の方の文字列で範囲を指定しなくても、自動的に上側の「模範音声」の方の文字列と同じ範囲を指定して識別表示を行うように構成することも可能である。
【００９６】
そして、ユーザは、例えば図７（Ｄ）に示されている、メインディスプレイ１０上の「模範音声」における文字列の各単語の強弱の識別表示と、自分が発声した音声を録音した「録音音声」における文字列の各単語の強弱の識別表示と見比べることで、自分の発音の声調すなわちこの場合は強弱が模範音声とどのように違っているかを視覚的に認識することが可能となる。
【００９７】
すなわち、図７（Ｄ）の場合は、「模範音声」では文字列「How do you do?」のうち最後の「do」が最も強く発音されているが、自分の発音では「How」が最も強く発音されてしまっていることを、識別表示を見比べることで的確に認識することが可能となる。そして、その際、識別表示を上記のように赤、青、黄等で色分けしてマーカ表示して行うことで、視覚的に容易かつ的確に識別表示の違いを認識することが可能となる。
【００９８】
また、ユーザは、「模範音声」と「録音音声」との違いを聞き比べたい場合には、前述したように、例えば図７（Ｄ）に示した状態で、「強弱反映」アイコンＩ４をタッチして選択し（ステップＳ１８；ＹＥＳ）、或いは、図７（Ｄ）に示すように「強弱反映」アイコンＩ４中の表示が「ＯＦＦ」になっている場合には「強弱反映」アイコンＩ４を連続してタッチして選択して（ステップＳ１６；ＹＥＳ）「強弱反映」アイコンＩ４中の表示を「ＯＮ」に切り替える（ステップＳ１７）。
【００９９】
このように操作することで、「模範音声」と「録音音声」の各単語の強弱がそれぞれ反映された状態でそれぞれ音声出力されるため（ステップＳ１９）、それらを聞き比べることができる。そのため、このようにして、ユーザは「模範音声」と「録音音声」との違いを聴覚的に容易かつ的確に認識することが可能となる。
【０１００】
一方、ユーザは、自分が発声した「録音音声」を「模範音声」に近づけるように、文字列の各単語の強弱を変更することも可能である。すなわち、ＣＰＵ２０は、本発明に係るユーザ声調変更手段として機能するようになっている。すなわち、ユーザは、例えば図７（Ｄ）に示した状態で「強弱変更」アイコンＩ５をタッチして選択し（ステップＳ２０；ＹＥＳ）、自分が発声した「録音音声」の文字列「How do you do?」の各単語に対して図６（Ｃ）に示した操作と同様の操作を行うことで、図８に示すように、「録音音声」の各単語の声調（すなわちこの場合は強弱）を「模範音声」の各単語の声調（強弱）にあわせるように変更する（ステップＳ２１、Ｓ２２）。
【０１０１】
また、ＣＰＵ２０は、本発明に係るユーザ声調変更音声出力制御手段としても機能するようになっており、上記のように変更した単語の声調に従って、ユーザ音声の声調を変更して出力するようになっている。そして、ユーザが上記と同様に「強弱反映」アイコンＩ４をタッチする等の操作を行って声調（強弱）を変更した「録音音声」を音声出力させ、「模範音声」とを聞き比べることで、自分が発音する際に、どの単語をどのように強く発音すればよいかを聴覚的に学習することが可能となる。
【０１０２】
［効果］
以上のように、本実施形態に係る電子辞書１（音声出力装置）や音声出力プログラムによれば、ネイティブの発音を録音した録音音声と、ユーザが発声した音声を録音して録音音声とを聞き比べたり、録音音声の声調（強弱）を模範音声の声調（強弱）にあわせて変更したり、或いは録音音声と模範音声の声調（強弱）をそれぞれ変更して発音させることで、正しい発音を容易かつ的確に学習することが可能となる。
【０１０３】
なお、本実施形態のように、メインディスプレイ１０上に、模範音声（模範音声データ３０ＡＭ）に対応する文字列（テキスト）と、録音音声（録音データ６）に対応する文字列（テキスト）とを２段表示することで、上記のように、模範音声と録音音声に対してユーザがそれぞれ独立に操作を行ったり、ＣＰＵ２０がそれぞれ独立に処理を行うことが容易になるといったメリットがある。
【０１０４】
また、上記のように、ユーザが発声した音声の録音音声のみについて各単語の声調（強弱）を変更するだけでなく、例えば上記の第１の実施形態と第２の実施形態とを組み合わせて、録音音声と同時に、模範音声についても文字列の各単語の声調を変更させて、それぞれ各単語の声調が変更された音声を出力させて聞き比べるように構成することも可能である。
【０１０５】
すなわち、例えば図８に示した状態で、「強弱変更」アイコンＩ５をタッチして選択し（ステップＳ２０；ＹＥＳ）、「模範音声」と「録音音声」の両方の文字列の各単語の強弱を同じように変更することで、「模範音声」と「録音音声」の両方の各単語の声調（すなわちこの場合は強弱）を変更する（ステップＳ２１、Ｓ２２）。そして、「強弱反映」アイコンＩ４をタッチする等の操作を行って、声調（強弱）を変更した「模範音声」と「録音音声」とを聞くことで、ニュアンスを変えて発音する際に、どの単語をどのように強く発音すればよいかを聴覚的に学習することが可能となる。
【０１０６】
なお、本発明を適用可能な実施形態は、上述した実施形態や変形例に限定されることなく、本発明の趣旨を逸脱しない範囲で適宜変更可能である。
【０１０７】
例えば、本発明に係る音声出力装置を電子辞書１として説明したが、本発明が適用可能なものは、このような製品に限定されず、図示を省略するが、例えばデスクトップ型やタブレット型のパソコン、ノートパソコン、携帯電話、スマートフォン、ＰＤＡ（Personal digital Assistant）、ゲーム機等の電子機器全般に適用することが可能である。また、本発明に係る音声録音再生プログラム８１は、電子辞書１に対して着脱可能なメモリカード、ＣＤ等に記憶されることとしてもよい。
【０１０８】
また、上記の第１、第２の実施形態では、図２に示したように、少なくとも英会話コンテンツ３０Ａすなわちテキストデータ３０ＡＴや模範音声データ３０ＡＭが予め対応付けられて音声出力装置（例えば電子辞書１）の記憶部８０（音声データ記憶手段）に記憶されている場合について説明した。しかし、例えば図６（Ｄ）に示すように、ネットワーク等を介して音声出力装置１と外部装置Ｇとを有線や無線で接続して、音声出力装置１のＣＰＵ２０が、英会話コンテンツ３０Ａを外部装置Ｇから取得したり、或いは、予め音声出力装置１に英会話コンテンツ３０Ａのテキストデータ３０ＡＴのみを記憶させておき、外部装置Ｇからテキストデータ３０ＡＴに対応する模範音声データ３０ＡＭを取得するように構成することも可能である。
【０１０９】
このように構成する場合、音声出力装置１のＣＰＵ２０が音声データ取得手段として機能することになる。そして、このように構成することで、音声出力装置１の記憶部８０として記憶容量がより少ないメモリ等を用いることが可能となり、音声出力装置１をより安価に製造することが可能となる等のメリットがある。
【０１１０】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
テキストに対応付けて音声データが記憶されている音声データ記憶手段と、
前記テキストを表示する表示手段と、
前記音声データ記憶手段に記憶された音声データに基づいて、前記テキスト中の各単語に声調を付して当該声調を表す識別表示を行うように制御する声調識別表示制御手段と、
前記声調識別表示手段により識別表示されたいずれかの単語の声調をユーザの操作により変更する声調変更手段と、
前記声調変更手段により変更された前記単語の声調に従って、前記テキストの音声データの声調を変更して出力するように制御する声調変更音声出力制御手段と、
を備えることを特徴とする音声出力装置。
＜請求項２＞
前記表示手段により表示されたテキストに対応づけてユーザ音声を登録するユーザ音声登録手段と、
前記ユーザ音声登録手段により登録されたユーザ音声に基づいて、前記テキスト中の各単語に声調を付して当該声調を表す識別表示を行うように制御するユーザ声調識別表示制御手段と、
を備えることを特徴とする請求項１に記載の音声出力装置。
＜請求項３＞
前記ユーザ声調識別表示制御手段は、
前記声調識別表示制御手段による前記テキスト中の各単語の声調を表す識別表示を行う表示と、対応する位置に前記テキスト中の各単語のユーザ音声による声調を表す識別表示を行うことを特徴とする請求項１又は２に記載の音声出力装置。
＜請求項４＞
前記ユーザ声調識別表示手段により識別表示されたいずれかの単語の声調をユーザの操作により変更するユーザ声調変更手段と、
前記ユーザ声調変更手段により変更された前記単語の声調に従って、前記ユーザ音声登録手段により登録されたユーザ音声の声調を変更して出力するように制御するユーザ声調変更音声出力制御手段と、
を備えることを特徴とする請求項１から請求項３のいずれか一項に記載の音声出力装置。
＜請求項５＞
模範音声データ、又はテキストと対応する音声データとを取得する音声データ取得手段と、
前記テキストを表示する表示手段と、
前記音声データに基づいて、前記テキスト中の各単語に声調を付して当該声調を表す識別表示を行うように制御する声調識別表示制御手段と、
前記声調識別表示手段により識別表示されたいずれかの単語の声調をユーザの操作により変更する声調変更手段と、
前記声調変更手段により変更された前記単語の声調に従って、前記テキストの音声データの声調を変更して出力するように制御する声調変更音声出力制御手段と、
を備えることを特徴とする音声出力装置。
＜請求項６＞
前記声調識別表示制御手段は、前記文字列の各単語に、当該単語の声調に応じて色分けしたマーカ表示を行うことにより前記声調を表す識別表示を行い、
前記声調変更手段は、ユーザが前記単語ごとに前記マーカ表示の色を変更する操作に応じて、識別表示された前記単語の声調を変更することを特徴とする請求項１から請求項５のいずれか一項記載の音声出力装置。
＜請求項７＞
テキストデータに対応付けて音声データが記憶されている音声データ記憶手段を備えるコンピュータに、
前記テキストを表示する制御を行う表示制御機能と、
前記音声データに基づいて、前記テキスト中の各単語に声調を付して当該声調を表す識別表示を行うように制御を行う声調識別表示制御機能と、
識別表示されたいずれかの単語の声調をユーザの操作により変更する声調変更機能と、
変更された前記単語の声調に従って、前記テキストの模範音声データの声調を変更して出力するように制御を行う声調変更音声出力制御機能と、
を実現させることを特徴とする音声出力プログラム。
＜請求項８＞
コンピュータに、
音声データ、又はテキストと対応する音声データとを取得する音声データ取得機能と、
前記テキストを表示する制御を行う表示制御手段と、
前記音声データに基づいて、テキスト中に指定された文字列の各単語に声調を付して当該声調を表す識別表示を行うように制御を行う声調識別表示制御機能と、
識別表示されたいずれかの単語の声調をユーザの操作により変更する声調変更機能と、
変更された前記単語の声調に従って、前記テキストの模範音声データの声調を変更して出力するように制御する声調変更音声出力制御機能と、
を実現させることを特徴とする音声出力プログラム。
【符号の説明】
【０１１１】
１        電子辞書（音声出力装置）
６        録音データ
１０      メインディスプレイ（表示手段）
２０      ＣＰＵ（声調識別表示制御手段、声調変更手段、声調変更音声出力制御手段、ユーザ声調識別表示制御手段、ユーザ声調変更手段、ユーザ声調変更音声出力制御手段、音声データ取得手段）
２１      表示部（表示手段）
３０ＡＭ  模範音声データ
３０ＡＴ  テキストデータ
８０      記憶部（音声データ記憶手段、ユーザ音声登録手段）
８１      音声録音再生プログラム（音声出力プログラム）
【図１】
2015125203.tif 000003
【図２】
2015125203.tif 000004
【図３】
2015125203.tif 000005
【図４】
2015125203.tif 000006
【図５】
2015125203.tif 000007
【図６】
2015125203.tif 000008
【図７】
2015125203.tif 000009
【図８】
2015125203.tif 000010
【図９】
2015125203.tif 000011